(57)【要約】  バルーンカテーテルは、長手方向に延在する細長いチューブ状のシャフトであって、近位端部および遠位端部を有するシャフトを備える。膨張区画を有するバルーンは、作用表面を含むバルーン壁部から形成されており、作用表面の場所を識別するための識別子を受け入れるように構成された、作用表面に隣接する少なくとも１つのチャンバーをさらに備える。また、関連する態様が開示される。【選択図】図１０
2015509440.tif 000002
【特許請求の範囲】
【請求項１】
バルーンカテーテルであって、
長手方向に延在する細長いチューブ状のシャフトであって、近位端部および遠位端部を有するシャフトと、
作用表面を有するバルーン壁部によって形成された膨張区画を有するバルーンと
を備え、
前記バルーンは、前記作用表面の場所を識別するための識別子を受け入れるように構成された、前記作用表面に隣接する少なくとも１つのチャンバーをさらに備える
バルーンカテーテル。
【請求項２】
請求項１に記載のバルーンカテーテルであって、
前記シャフトは、前記チャンバーに流体を供給するための第１のルーメンを備える
バルーンカテーテル。
【請求項３】
請求項２に記載のバルーンカテーテルであって、
前記シャフトは、前記第１のルーメンと前記チャンバーとの間にポートを備える
バルーンカテーテル。
【請求項４】
請求項２または請求項３に記載のバルーンカテーテルであって、
前記シャフトは、前記バルーンの内部区画に流体を供給するための第２のルーメンを備える
バルーンカテーテル。
【請求項５】
請求項４に記載のバルーンカテーテルであって、
前記シャフトは、前記第２のルーメンと前記内部区画との間にポートを備える
バルーンカテーテル。
【請求項６】
請求項１ないし請求項５のいずれか一項に記載のバルーンカテーテルであって、
前記識別子は造影剤を含有する
バルーンカテーテル。
【請求項７】
請求項６に記載のバルーンカテーテルであって、
前記造影剤は、Ｘ線不透過剤、ポリビニルアセテート、セルロース、流体、液体、固体、粉末、または、これらの組合せからなる群から選択される材料を含有する
バルーンカテーテル。
【請求項８】
請求項１ないし請求項７のいずれか一項に記載のバルーンカテーテルであって、
前記チャンバーは、
前記バルーンの近位端部において第１のチャンバーを備え、
前記バルーンの遠位端部において第２のチャンバーをさらに備える
バルーンカテーテル。
【請求項９】
請求項８に記載のバルーンカテーテルであって、
前記第２のチャンバーは、ポートを介して前記第１のチャンバーに流体連通する前記シャフト内のルーメンから前記識別子を受け入れるように構成された
バルーンカテーテル。
【請求項１０】
請求項１ないし請求項９のいずれか一項に記載のバルーンカテーテルであって、
前記チャンバーは略環状である
バルーンカテーテル。
【請求項１１】
請求項１ないし請求項１０のいずれか一項に記載のバルーンカテーテルであって、
前記チャンバーは、前記バルーンのバレル部位から円錐形状の部位への移行部と、前記バルーンの端部と、の間に位置決めされる
バルーンカテーテル。
【請求項１２】
請求項１ないし請求項１１のいずれか一項に記載のバルーンカテーテルであって、
前記チャンバーは、前記バルーン壁部に取り付けられるフィルムによって提供される
バルーンカテーテル。
【請求項１３】
請求項１ないし請求項１２のいずれか一項に記載のバルーンカテーテルであって、
前記チャンバーは前記バルーン壁部内に埋め込まれる
バルーンカテーテル。
【請求項１４】
請求項１ないし請求項１３のいずれか一項に記載のバルーンカテーテルであって、
前記チャンバーは、前記バルーン壁部と前記シャフトの外側表面との間に延在するフィルムによって提供される
バルーンカテーテル。
【請求項１５】
請求項１ないし請求項１４のいずれか一項に記載のカテーテルを使用する方法であって、
第１の流体を前記チャンバーに供給する工程と、
第２の流体を前記膨張区画に供給する工程と
を備える方法。
【請求項１６】
請求項１５に記載の方法であって、
前記第１の流体を供給する前記工程の前に、前記バルーンを血管内へ挿入する工程をさらに備える
方法。
【請求項１７】
請求項１５に記載の方法であって、
前記第１の流体を供給する前記工程の後であって、前記第２の流体を供給する前記工程の前に、前記バルーンを血管内へ挿入する工程をさらに備える
方法。
【発明の詳細な説明】
【技術分野】
【０００１】
以下の米国仮特許出願は、参照により本明細書に組み込まれる。６１／６０８，８５２；６１／６０８，８５９；６１／６０８，８６２；６１／６０８，８９７；６１／６０８，９０２；６１／６０８，９０８；６１／６０８，９１３；６１／６０８，９１７；６１／６０８，９２７；６１／６０８，９３２；６１／６０８，９４１；および６１／７４７，４４４。
【０００２】
本開示は、概して、血管形成術などのような医療処置を行うためのバルーンに関し、より具体的には、使用の間に正確に位置決めまたは識別され得る所定の部分（例えば、作用表面など）を有する医療用バルーンに関する。
【背景技術】
【０００３】
バルーンは、身体のチューブ状の領域（例えば、動脈または静脈など）内の流量制限、または、おそらく、完全閉塞さえも解消または処置するために日常的に使用されている。多くの臨床的状況において、制限が、硬質の固体（例えば、石灰化プラークなど）によって引き起こされ、そのような閉塞をコンパクトにするために高い圧力の使用が必要とされる。市販のバルーンは、複雑な技術を用いて、バルーンのプロファイルを犠牲にすることなく、高い圧力の要件を実現している。高い圧力の要件の他に、バルーンも、特に血管形成術のために使用されるときに、穿刺に対して抵抗力を有するべきであり、進み易く、押し易く、低いプロファイルを表すべきである。
【０００４】
臨床診療では、血管形成術バルーンは、図１および図２に示されているように、収縮されて折り畳まれた状態から拡張された状態へ血管内で拡張され、目標領域（例えば、血管Ｖの内周壁部Ｉの一部分など）を治療する。図３および図３ａ（Ｘ線透視検出器プレート（fluoroscope detector plate）（ＦＤＰ）によって測定される強度を示している）に図示されているように、壁部２８を有するバルーン１２の膨張は、従来的に、寸法ＤＸに沿って、Ｘ線造影剤ＣＭを使用して完全にされ、インターベンション治療（interventional procedure）の間にＸ線または他の形態のＸ線写真Ｒのもとでのより良好な可視性を提供する。典型的には、造影剤および生理食塩水の７０／３０パーセント混合物が使用され、血管形成術手順の間にバルーンを膨張させる。
【０００５】
一般的に、望ましい目標は、バルーン（特に、大きい体積のバルーン（それは、造影剤による最大２分の膨張／収縮時間を必要とする可能性がある））のプロファイルを犠牲にすることなく、バルーンに必要とされる膨張時間および収縮時間を低減させることである。また、その相対的に高い粘度に因って、バルーンの膨張／収縮のときに使用される造影剤の量を取り除くか、または少なくとも低減させることが望ましいこととなる。造影剤の使用は、膨張／収縮時間を長くし、また、ヨウ素に対して敏感な患者にヨウ素被ばくのリスクをもたらす。この点において、例えば、生理食塩水または二酸化炭素などのような、非Ｘ線不透過性の物質を造影剤の代わりに使用することが可能であるが、そのような物質は、Ｘ線撮影の間に見ることができず、したがって、可視性を向上させない。
【０００６】
さらに、血管形成術手順を行う医師は、膨張していないバルーンの位置を正確に位置決めすることができるべきであり、その結果、バルーンは、膨張させられると適正に位置決めされることとなる。これは、従来から、バルーン作用表面に対応する領域にあるカテーテルシャフト上にマーカーバンドを取り付けることによって達成される。この「作用表面」は、石灰化プラークに接触するなどの、所望の治療効果を実現するために使用されるバルーンの一部分に沿った表面である（その表面は、近位端部および遠位端部において円錐形状の部位またはテーパー付きの部位を有するバルーンの場合、典型的には、略円筒形状のバレル部位と同一の広がりを有する）。
【０００７】
シャフトに沿って設置する間のマーカーバンドのミスアライメントが、図４に示されているように、作用表面の範囲に正確に対応しないということを結果として生じさせる場合がある（シャフトＳによって保持されているそれぞれの内部マーカーバンドＭと、バルーン１２の作用表面Ｗと、の間のミスアライメント量Ｘに留意されたい。また、それは、典型的には、遠位端部においてＸ線不透過性の先端部Ｐを備える）。内在するシャフト上にマーカーを適正に位置決めし、バルーンが膨張させられるときに、予想される作用表面の境界とアライメント状態にすることに細心の注意を払ったとしても、いくつかの潜在的な要因に起因してミスマッチの傾向が依然として存在する。１つのそのような要因は、カテーテルシャフトの遠位端部にバルーンを付加する結果として生じる公差の蓄積である場合がある。また、バルーンは、膨張させられるときに（特に、大きく、とりわけ長いバルーンを用いるときに）、長手方向に成長する傾向を有している。別の要因は、膨張の間に、バルーン内のカテーテルシャフトの一部分が曲がるか屈曲する傾向である。これは、シャフトに固定されたＸ線不透過性のマーカーと、作用表面と、の間にミスアライメントをもたらす可能性がある。
【０００８】
原因が何であれ、結果として生じるミスアライメントは、インターベンション治療の間に、臨床医がバルーンの作用表面の場所を正確に識別することを妨げる可能性がある。これは、地理的に間違った設置、すなわち、目標領域Ｔとバルーン１２の作用表面Ｗとの間の意図された接触の「ミス」をもたらす可能性がある（図２を参照）。ミスは、手順を長くする可能性があるので（例えば、薬品コーティングされたバルーンの場合に、バルーン１２の再配置、または、別のバルーンカテーテルの使用を必要とすることなどによる）、バルーンが、ペイロード（例えば、薬品、ステント、または、その両方など）または作用エレメントを血管系内の特定の場所へ移送するように構成されているときに、そのような結果を回避することが特に望ましい。
【０００９】
また、収縮すると、バルーンは、「パンケーキング」として知られる現象を受ける可能性がある。この状態では、バルーン１２は、図５に示されているように、平坦化された状態へ、自身上に折り畳まれる。バルーンの全幅が平坦化された状態で認識され得るので、この状況は、バルーンが、Ｘ線透視法を通して、おそらく依然として膨張状態にあるかのように見えることを引き起こす可能性がある。これは、実際にはそうでないときに、バルーンが膨張させられたままであるという誤った認識を臨床医に与える可能性がある。
【００１０】
したがって、バルーンに関して、作用表面がインターベンション治療の間に向上した精度で識別され得るという必要性が確認されている。解決策は、カテーテルシャフトおよびバルーン上の固定場所同士の間の潜在的なミスマッチを考慮して作用表面を画定することとなり、バルーン内のカテーテルシャフトの一部分の位置と独立して作用することとなる。また、識別の改善により、パンケーキングによって引き起こされる収縮の誤った認識のより良好な検出を可能にすることができる。全体として、コストまたは複雑さを著しく増加させることなく、また、大幅な修正なく多くの既存のカテーテル技術に適用され得る態様で、手技上の効率が向上されることとなる。
【発明の概要】
【発明が解決しようとする課題】
【００１１】
本開示の目的は、インターベンション治療の間に作用表面が向上した精度で識別され得るバルーンを提供することである。
【図面の簡単な説明】
【００１２】
【図１】本発明の背景技術の説明図である。
【図２】本発明の背景技術の説明図である。
【図３】本発明の背景技術の説明図である。
【図４】本発明の背景技術の説明図である。
【図５】本発明の背景技術の説明図である。
【図６】本発明の背景技術の説明図である。
【図７】本発明の背景技術の説明図である。
【図８】本発明の背景技術の説明図である。
【図９】本発明の背景技術の説明図である。
【図１０】本開示による第１の実施形態を図示する図である。
【図１１】図１０の線１１−１１に沿った断面図である。
【図１２】さらなる断面図である。
【図１３】本開示によるさらなる実施形態を図示する図である。
【発明を実施するための形態】
【００１３】
図に関して以下に提示されている説明は、特に記述がない限り、すべての実施形態に当てはまり、それぞれの実施形態に共通の特徴は、同様に示され、番号が付されている。
【００１４】
カテーテルチューブ１４上に装着されたバルーン１２を有する遠位部分１１を備えるカテーテル１０が提供される。図６、図７および図８を参照すると、バルーン１２は、中間部位１６すなわち「バレル」と、端部部位１８，２０と、を有している。一実施形態では、端部部位１８，２０は、直径が低減し、中間部位１６をカテーテルチューブ１４に接合する（したがって、部位１８，２０は、円錐部または円錐部位と一般的に呼ばれる）。バルーン１２は、円錐部位１８，２０上のバルーン端部（近位端部１５ａおよび遠位端部１５ｂ）においてシールされており、１つ以上の膨張ルーメン１７を介して、バルーン１２の膨張を可能にする。１つ以上の膨張ルーメン１７は、カテーテルチューブ１４内に延在し、バルーン１２の内部と連通している。
【００１５】
また、カテーテルチューブ１４は、ガイドワイヤールーメン２３を形成する細長いチューブ状のシャフト２４を備えている。ガイドワイヤールーメン２３は、カテーテル１０を通ってガイドワイヤー２６を方向付け、その遠位端部に沿って、バルーン１２が配置され得る。図８に図示されているように、このガイドワイヤー２６は、カテーテル１０の近位端部と、コネクター２７の第１のポート２５と、を通ってルーメン２３内へ延在し、「オーバーザワイヤー」（ＯＴＷ）配置を実現することが可能であるが、「ラピッドエクスチェンジ」（ＲＸ）構成で提供されることも可能である。「ラピッドエクスチェンジ」（ＲＸ）構成では、ガイドワイヤー２６は、遠位端部により近い側方開口部１４ａを出ていき（図９を参照）、または、そうでなければ、バルーン１２の遠位で、先端部Ｐに関連付けされた通路を通して給送される（「ショート」ＲＸ；図示せず）。また、流体（例えば、生理食塩水、造影剤、または、その両方）を、膨張ルーメン１７を介して、バルーン１２の内部区画内へ導入するために、第２のポート２９は、コネクター２７などによってカテーテル１０に関連付けされ得る。
【００１６】
バルーン１２は、膨張流体を受け入れるための内部を形成する単層または多層のバルーン壁部２８を備えることが可能である。バルーン１２は、バルーンが膨張させられるときに、１つ以上の方向にそのサイズおよび形状を維持するバルーン壁部２８を有する非追従性のバルーンとすることが可能である。非追従性のバルーンの例は、米国特許第６，７４６，４２５号、ならびに、米国特許出願公開第２００６／００８５０２２号、米国特許出願公開第２００６／００８５０２３号、および、米国特許出願公開第２００６／００８５０２４号に見出すことが可能であり、それらの開示は、これによって、参照により本明細書に組み込まれる。また、そのような場合に、バルーン１２は、膨張の間および膨張の後に一定のままの所定の表面積を有しており、また、膨張の間および膨張の後にそれぞれまたはともに一定のままの所定の長さおよび所定の直径を有している。しかしながら、バルーン１２は、代替的に、特定の使用に応じて、半追従性または追従性とすることが可能である。
【００１７】
インターベンション治療の間の場所確認能力の向上を提供するために、バルーン１２は、特定の部分を識別するための識別子を有することが可能である。一実施形態では、この識別子は、臨床医が、比較的容易に、および、高い精度で、バルーン１２のうちの１つの部分を別の部分から（例えば、作用表面Ｗを含むバレル部位１６を円錐部位１８，２０から）区別することを可能にする態様で提供される。これは、臨床医が、バルーン１２（とりわけ、作用表面Ｗ）を特定の治療場所に正確に位置決めすることを確実にすることの助けとなる。これは、より詳細に以下の説明で概説されているように、バルーン作用表面Ｗを介した特定のアイテム（例えば、薬品またはステントなど）の移送において特に重要となる場合がある。
【００１８】
また、図１０に示されているように、例えば、識別子３０などを提供する１つの態様は、造影剤（例えば、Ｘ線不透過性の流体、または、外部供給源（例えば、超音波、Ｘ線など）からのエネルギーを照射される際に不透明な本体部内に認識されることが可能である物質）を受け入れるために、バルーン１２の一部分を適合させることによる。これは、バルーン壁部に隣接する受入部（例えば、ポケット、凹部、または、チャンバー３２（以下、「チャンバー」と称する）の形態など）を提供することによって実現することが可能であり、それは、造影剤を受け入れるために、また、造影剤を少なくとも一時的に収容するためにスペースを生成し、それは、使用中に膨張流体が供給されるバルーン１２の内部区画から分離されている。
【００１９】
チャンバー３２は、バルーン１２の円錐部位１８，２０の一方または両方に沿って設けることが可能である。一実施形態では、チャンバー３２の第１の端部は、作用表面Ｗの縁部すなわち境界と同一の広がりを持つことが可能である。チャンバー３２の他の端部は、バルーン１２の近位端部１５ａまたは遠位端部１５ｂまで、それぞれ延在することが可能である。チャンバー３２は、図１１に示されているように、断面を略環状とすることが可能であるが、作用表面Ｗの場所を依然として識別しながら、バルーン壁部２８の周囲の一部分のみに沿って設けること、したがって、半環状とすることも可能である（それは、バルーン１２が、膨張状態または収縮状態で撮影されるときに、異なるように見せることが可能であり、したがって、パンケーキングの状態が識別されることを可能にする）。
【００２０】
造影剤は、製造プロセスの間にチャンバー３２内に供給することが可能であり、そのプロセスの間、または、使用後のいずれかに、例えば、カテーテル１０の近位端部において、バルーン１２から遠い場所からチャンバー３２に移送することが可能である。どのような場合においても、これは、シャフト２４内に個別のルーメン３４を設けることによって実現することが可能であり、シャフト２４は、図示されている実施形態では、バルーン１２を膨張させるための流体を供給するために、膨張ルーメン１７も備える。示されているように、シャフト２４の個別のルーメン３４は、チャンバー３２に対応する１つ以上のポート３４ａを備えることが可能であり、一方、膨張ルーメン１７は、バルーン１２の内部区画１２ａに膨張流体を供給するためのポート１７ａを備える。任意の正確な形態に限定されることなく、チャンバー３２を備えるこのバルーン１２を組み込むカテーテル１０は、先端部（図示せず）を通過する外部ガイドワイヤーを使用するタイプのものとすることが可能であるか、または、個別のガイドワイヤールーメンを、例えば、場合により、シャフト２４内などに設けることが可能であるということに留意されたい（例えば、ルーメン１７，３４に隣接して設けられている図１２のガイドワイヤールーメン２３を参照）。
【００２１】
図示されているように、チャンバー３２は、例えば、複数の材料の層（例えば、フィルムなど）の間に埋め込まれることなどによって、バルーン壁部２８内に一体的に形成することが可能である。可能性のある１つの実施形態では、これは、バルーン壁部２８に加えて、フィルム２８ａの補助的な層を使用することによって実現することが可能である。このフィルム２８ａは、例えば、接合技法（例えば、熱溶接または音波溶接など）を使用することなどによって、両端部において、バルーン壁部２８の内部に付加することが可能である。代替的に、図１３に示されているように、フィルム２８ａの第１の端部は、バルーン壁部２８の内部表面にシールされることが可能であり、一方、このフィルムの第２の端部は、シャフト２４の外側表面にシールされる。
【００２２】
使用のときに、適切な造影剤が、バルーン１２の膨張の前に（場合により、血管系内へのバルーン１２の挿入の前を含む）、例えば、ルーメン３４を介して、１つ以上のチャンバー３２に供給されることが可能である。当然に認識されるように、チャンバーの体積は、膨張の間に通常充填されることとなるバルーン１２の膨張チャンバーよりも非常に小さいので、相対的に少量の造影剤のみが必要とされることとなる。結果的に、造影剤は、高い圧力を必要とすることなく、注射器によって供給することが可能であり、ルーメン３４は、造影剤を供給する工程が完了すると、近位端部（例えば、ハブにおいて（図示せず））の移送場所において密封されることが可能である。
【００２３】
所望の治療場所に到達すると、作用表面Ｗの場所は、造影剤の存在によって、膨張の前に識別可能である。次いで、バルーン１２は、膨張ルーメン１７を介して膨張されることが可能である。当然に認識されるように、チャンバー３２（単数または複数）内に提供される造影剤が作用表面Ｗの場所を特定するための識別子３０としての役割を果たすので、バルーン１２の膨張は、画像形成不可能な流体または非Ｘ線不透過性の流体（生理食塩水、二酸化炭素など）を使用して実現することが可能である。
【００２４】
代替的な選択肢は、例えば、製造プロセスの間の事前設置などによって、チャンバー３２内に固体形態の造影剤を供給することであってもよい。造影剤としての役割を果たす固体材料は、脱水された（dessicated）、粒状の、乾燥した、または粉末状の材料とすることが可能である。次いで、画像形成不可能な（例えば、非Ｘ線不透過性の）流体（例えば、生理食塩水溶液など）を、チャンバーを製造するプロセスの間、または、その後のいずれかに、チャンバー３２内へ導入することが可能である。薬剤を流体化し、チャンバー３２全体にわたって所望のコントラストを形成するために、流体は、事前設置されていない場合には、ルーメン３４を通して供給することが可能である。
【００２５】
当然に認識されるように、固体造影剤を有する流体混合物は、結果的に、作用表面Ｗの縁部に対応するチャンバー３２の一部の中に残ることとなる。ルーメン３４を介して積極的に充填する場合には、いくらかの希釈が起こる可能性があるが、チャンバー３２の残りの体積を占有するのに必要な流体の量は、バルーン３２の内部区画を膨張させるのに必要な流体の量と比較して非常に小さくなるということに再度留意されたい。また、この希釈は、流体がポート３２ａを介してチャンバー３２に進入することを許容するが、チャンバー内の固体材料が出ていくことを許容しない機構（例えば、膜、逆止弁など）を設けることによって、実質的に防止することが可能である。
【００２６】
上記に提案されているように、個別のチャンバー３２が、代替的に、例えば、超音波または他の形態のエコーロケーションの間などに、Ｘ線不透過性を使用することなく識別性を高める態様で提供され得る。例えば、エコーロケーションによって識別され得る材料（例えば、ポリビニルアセテート、または、十分な密度の他のセルロース系材料（例えば、乳房組織マーカーのために使用される材料）など）が、１つ以上のチャンバー３２内に提供されて、設置的な目的のために所望のコントラストを提供することが可能である。流体が、（インターベンション治療の前、または、インターベンション治療の間のいずれかに）チャンバー３２に適用されて、材料の体積を増加させ、したがって、可視性を向上させることが可能である。
【００２７】
Ｘ線不透過性の材料の例には、それに限定されないが、微粉タングステン、タンタル、ビスマス、三酸化ビスマス、オキシ塩化ビスマス、次炭酸ビスマス、他のビスマス化合物、硫酸バリウム、スズ、銀、銀化合物、希土類酸化物、および、Ｘ線吸収に一般的に使用される多くの他の物質が含まれる。使用される量は、そのようなものが適用可能であって望まれる実施形態では、Ｘ線不透過性の所望の程度に応じて変えることが可能である。
【００２８】
バルーンまたはカテーテルを引用する以下の段落のそれぞれの主題は、それぞれ、他の段落のいずれかで引用されるバルーンまたはカテーテルの一部になり得る。
【００２９】
１．１  バルーンカテーテルであって、長手方向に延在する細長いチューブ状のシャフトであって、近位端部および遠位端部を有するシャフトと、シャフトの遠位端部に沿って支持される膨張可能なバルーンであって、膨張させられるときに間隔を隔てて配置された、第１および第２の円錐形状の端部部位と当該円錐形状の部位同士の間の作用表面と、を備え、バルーンは、円錐形状の端部部位から作用表面への移行部を識別する少なくとも１つのＸ線不透過性のマーキングをさらに備えるバルーンカテーテル。
【００３０】
１．２  段落１．１に記載のカテーテルであって、少なくとも１つのＸ線不透過性のマーキングは、第１の円錐形状の端部部位と作用表面との間の第１の移行部において第１のＸ線不透過性のマーキングを備え、第２の円錐形状の端部部位と作用表面との間の第２の移行部において第２のＸ線不透過性のマーキングをさらに備えるカテーテル。
【００３１】
１．３  段落１．１または段落１．２に記載のカテーテルであって、少なくとも１つのマーキングはストリップを備えるカテーテル。
【００３２】
１．４  段落１．１ないし段落１．３のいずれか１つに記載のカテーテルであって、ストリップの形態の複数のＸ線不透過性のマーキングをさらに備えるカテーテル。
【００３３】
１．５  段落１．４に記載のカテーテルであって、ストリップは、第１および第２の円錐形状の端部部位の間で少なくとも部分的に長手方向に延在するカテーテル。
【００３４】
１．６  段落１．４または段落１．５に記載のカテーテルであって、ストリップは環状のバンドを備えるカテーテル。
【００３５】
１．７  段落１．１ないし段落１．６のいずれか１つに記載のカテーテルであって、少なくとも２つの間隔を置いて配置されたＸ線不透過性のマーキングが、それぞれの円錐形状の端部部位に設けられており、それぞれの円錐形状の端部部位の遠位部分および近位部分に隣接する部位を備えるカテーテル。
【００３６】
１．８  段落１．１ないし段落１．７のいずれか１つに記載のカテーテルであって、バルーンは、第１および第２の円錐形状の端部部位の間にバレル部位を備え、バレル部位上に複数のＸ線不透過性のマーキングをさらに備えるカテーテル。
【００３７】
１．９  段落１．１ないし段落１．８のいずれか１つに記載のカテーテルであって、マーキングは、円錐形状の端部部位上に第１のパターンを備え、作用表面上に第２の異なるパターンをさらに備えるカテーテル。
【００３８】
１．１０  段落１．１ないし段落１．９のいずれか１つに記載のカテーテルであって、少なくとも１つのマーキングは、パターン、ストリップ、ブランド、ロゴ、文字、数字、単語、または、それらの組合せからなる群から選択されるカテーテル。
【００３９】
１．１１  段落１．１ないし段落１．１０のいずれか１つに記載のカテーテルであって、識別子はスケールを備えるカテーテル。
【００４０】
１．１２  段落１．１ないし段落１．１１のいずれか１つに記載のカテーテルであって、バルーンは薬品を備えるカテーテル。
【００４１】
１．１３  段落１．１２に記載のカテーテルであって、薬品はＸ線不透過性のマーキングの場所に対応しているカテーテル。
【００４２】
１．１４  段落１．１２に記載のカテーテルであって、薬品はＸ線不透過性のマーキング以外の場所に対応しているカテーテル。
【００４３】
１．１５  段落１．１２に記載のカテーテルであって、Ｘ線不透過性のマーキングは、Ｘ線不透過剤を含むように製剤化された薬品を含有するカテーテル。
【００４４】
１．１６  バルーン壁部の作用表面上に保持された薬品と、バルーン上の薬品の場所を識別するＸ線不透過性の識別子と、を有するバルーン。
【００４５】
１．１７  段落１．１６に記載のバルーンであって、Ｘ線不透過性の識別子は、薬品を含有する製剤と混合されたＸ線不透過性の材料を含有するバルーン。
【００４６】
１．１８  段落１．１６に記載のバルーンであって、作用表面は、バルーンのバレル部位に沿っており、Ｘ線不透過性の識別子は、バルーンの一方または両方の円錐部位上にあるバルーン。
【００４７】
２．１  バルーンカテーテルであって、長手方向に延在する細長いチューブ状のシャフトであって、近位端部および遠位端部を有するシャフトと、シャフトの遠位端部に沿って支持される膨張可能なバルーンであって、膨張されたときに、作用表面を形成する略円筒形状のバレル部位、および、作用表面の一部を形成しない略円錐形状の端部部位を有するバルーンと、を備え、バルーンは、作用表面の相対的な位置を指示するための少なくとも１つのＸ線不透過性の識別子をさらに備え、識別子は、作用表面の範囲を画定するように、バルーンの円錐形状の端部部位のうちの少なくとも１つに設けられるバルーンカテーテル。
【００４８】
２．２  段落２．１に記載のカテーテルであって、識別子はマーキングを備えるカテーテル。
【００４９】
２．３  段落２．１または段落２．２に記載のカテーテルであって、第１のマーキングが、第１の円錐形状の部位端部部位と作用表面との間の第１の移行部に設けられ、第２のマーキングが、第２の端部部位と作用表面との間の第２の移行部に設けられるカテーテル。
【００５０】
２．４  段落２．２または段落２．３に記載のカテーテルであって、マーキングはストリップを備えるカテーテル。
【００５１】
２．５  段落２．１ないし段落２．４のいずれか１つに記載のカテーテルであって、識別子は、バルーンの端部と、バレル部位と、の間に延在する長手方向のストリップを備えるカテーテル。
【００５２】
２．６  段落２．１ないし段落２．５のいずれか１つに記載のカテーテルであって、複数の識別子をさらに備えるカテーテル。
【００５３】
２．７  段落２．６に記載のカテーテルであって、複数の識別子のそれぞれは長手方向に延在するストリップを備えるカテーテル。
【００５４】
２．８  段落２．６または段落２．７に記載のカテーテルであって、識別子は環状のバンドを備えるカテーテル。
【００５５】
２．９  段落２．６または段落２．６に従属する段落２．８に記載のカテーテルであって、識別子は長手方向に延在するストリップを備えるカテーテル。
【００５６】
２．１０  段落２．１ないし段落２．９のいずれか１つに記載のカテーテルであって、間隔を置いて配置された少なくとも２つのＸ線不透過性の識別子が、それぞれの端部部位に設けられるカテーテル。
【００５７】
２．１１  段落２．１ないし段落２．１０のいずれか１つに記載のカテーテルであって、バレル部位上に少なくとも１つのＸ線不透過性の識別子をさらに備えるカテーテル。
【００５８】
２．１２  段落２．１ないし段落２．１１のいずれか１つに記載のカテーテルであって、識別子は、第１のパターンを有する第１の識別子であり、第２の異なるパターンを有する第２の識別子をさらに備えるカテーテル。
【００５９】
２．１３  段落２．１ないし段落２．１２のいずれか１つに記載のカテーテルであって、識別子は少なくとも１つの文字または数字を備えるカテーテル。
【００６０】
２．１４  段落２．１ないし段落２．１３のいずれか１つに記載のカテーテルであって、識別子はロゴを備えるカテーテル。
【００６１】
２．１５  段落２．１ないし段落２．１４のいずれか１つに記載のカテーテルであって、識別子はスケールを備えるカテーテル。
【００６２】
２．１６  段落２．１ないし段落２．１５のいずれか１つに記載のカテーテルであって、バルーン上に薬品をさらに備えるカテーテル。
【００６３】
３．１  カテーテルに関連して使用するための膨張可能なバルーンであって、第１の端部と第２の端部との間に長手方向に延在する作用表面を有する膨張可能な本体部であって、作用表面の少なくとも第１の端部を識別するために本体部に沿って設けられた少なくとも１つのＸ線不透過性の識別子を有する膨張可能な本体部を備え、Ｘ線不透過性の識別子は、作用表面の第１の端部の場所を識別するための第１のＸ線撮影用品質と、作用表面の第１の端部以外の場所における第２のＸ線撮影用品質と、を有している膨張可能なバルーン。
【００６４】
３．２  段落３．１に記載のバルーンであって、第２のＸ線撮影用品質は、作用表面の第２の端部を識別するために設けられるバルーン。
【００６５】
３．３  段落３．２に記載のカテーテルであって、第１のＸ線撮影用品質と第２のＸ線撮影用品質とは実質的に同じであるカテーテル。
【００６６】
３．４  段落３．１に記載のバルーンであって、Ｘ線不透過性の識別子はマーキングを備えるバルーン。
【００６７】
３．５  段落３．１に記載のバルーンであって、Ｘ線不透過性の識別子は、作用表面の第１の端部から第２の端部まで略らせん経路をたどるバルーン。
【００６８】
３．６  段落３．１に記載のバルーンであって、識別子は、作用表面に沿って延在する複数のらせん識別子を備えるバルーン。
【００６９】
３．７  段落３．１に記載のバルーンであって、識別子はＸ線不透過性のフィラメントを備えるバルーン。
【００７０】
３．８  段落３．７に記載のバルーンであって、フィラメントは、バルーンの作用表面の少なくとも一部分に沿ってらせん状に巻かれるバルーン。
【００７１】
３．９  段落３．１ないし段落３．８のいずれか１つに記載のバルーンであって、バルーン上に薬品をさらに備えるバルーン。
【００７２】
３．１６  カテーテルに関連して使用するためのバルーンであって、外側表面と、バルーンの外側表面に沿って延在する少なくとも１つの巻線と、を有する本体部を備え、バルーンはＸ線不透過性の品質を有している、バルーン。
【００７３】
３．１７  段落３．１６に記載のバルーンであって、巻線はＸ線不透過性のフィラメントを備えるバルーン。
【００７４】
３．１８  段落３．１ないし段落３．１７のいずれか１つに記載のバルーンであって、Ｘ線不透過性の識別子は、らせんパターンまたはダイヤモンドパターンを備えるバルーン。
【００７５】
３．１９  段落３．１ないし段落３．１８のいずれか１つに記載のバルーンを備えるカテーテル。
【００７６】
３．２０  カテーテルに関連して使用するための膨張可能なバルーンであって、らせんパターンまたはダイヤモンドパターンを有するＸ線不透過性の識別子を備える膨張可能なバルーン。
【００７７】
４．１  ガイドワイヤーに関連して使用するためのバルーンカテーテルであって、長手方向に延在する細長いチューブ状のシャフトであって、近位端部および遠位端部を有するシャフトと、シャフトの遠位端部に沿って支持される膨張可能なバルーンであって、膨張されたときに、間隔を置いて配置された第１および第２の端部、および、当該端部同士の間の作用表面を有するバルーンと、少なくとも、バルーンの作用表面の場所を識別するためのＸ線不透過性の部分を有する少なくとも１つのワイヤーと、を備えるバルーンカテーテル。
【００７８】
４．２  段落４．１に記載のカテーテルであって、ワイヤーは、第１の状態と第２の状態との間で調節するための形状記憶を有する材料を備えるカテーテル。
【００７９】
４．３  段落４．１または段落４．２に記載のカテーテルであって、少なくとも１つのワイヤーは、略長手方向に延在しているカテーテル。
【００８０】
４．４  段落４．１ないし段落４．３のいずれか１つに記載のカテーテルであって、Ｘ線不透過性の部分は細長いカテーテル。
【００８１】
４．５  段落４．１ないし段落４．４のいずれか１つに記載のカテーテルであって、ワイヤーは少なくとも部分的にポリマーを含有するカテーテル。
【００８２】
４．６  段落４．１ないし段落４．５のいずれか１つに記載のカテーテルであって、少なくとも１つのワイヤーは少なくとも部分的に弾性を有するカテーテル。
【００８３】
４．７  段落４．１ないし段落４．６のいずれか１つに記載のカテーテルであって、略長手方向に延在する複数のワイヤーを備え、複数のワイヤーのうちの少なくとも１つは、少なくとも、バルーンの作用表面の場所を識別するためのＸ線不透過性の部分を備えるカテーテル。
【００８４】
４．８  段落４．１ないし段落４．７のいずれか１つに記載のカテーテルであって、少なくとも１つのワイヤーはバルーンの外側表面に沿って延在しているカテーテル。
【００８５】
４．９  段落４．１ないし段落４．８のいずれか１つに記載のカテーテルであって、少なくとも１つのワイヤーはバルーンの内側表面に沿って延在しているカテーテル。
【００８６】
４．１０  段落４．１ないし段落４．９のいずれか１つに記載のカテーテルであって、少なくとも１つのワイヤーはバルーンの第１の端部から第２の端部へ延在しているカテーテル。
【００８７】
４．１１  段落４．１ないし段落４．１０のいずれか１つに記載のカテーテルであって、少なくとも１つのワイヤーのＸ線不透過性の部分は、作用表面に対応する、バルーンの一部分に沿って延在しているカテーテル。
【００８８】
４．１２  段落４．１ないし段落４．１１のいずれか１つに記載のカテーテルであって、少なくとも１つのワイヤーのＸ線不透過性の部分は、作用表面に対応する、バルーンの一部分以外に沿って延在しているカテーテル。
【００８９】
４．１３  段落４．７、または、段落４．７に従属する段落４．８ないし段落４．１２のいずれか１つに記載のカテーテルであって、ワイヤーは、バルーンの周囲に実質的に等距離に間隔を置いて配置されているカテーテル。
【００９０】
４．１４  段落４．１ないし段落４．１３のいずれか１つに記載のカテーテルであって、ワイヤーは、追従性または半追従性の部分を備えるカテーテル。
【００９１】
４．１５  段落４．１ないし段落４．１４のいずれか１つに記載のカテーテルであって、少なくとも部分的にＸ線不透過性を有するワイヤーの少なくとも１つの端部は、バルーンをシャフトに接続する結合部に取り付けられるカテーテル。
【００９２】
４．１６  段落４．１ないし段落４．１５のいずれか１つに記載のカテーテルであって、バルーン上に提供された薬品をさらに備えるカテーテル。
【００９３】
４．１７  段落４．１ないし段落４．１６のいずれか１つに記載のカテーテルであって、少なくとも１つのワイヤーは、少なくとも部分的に、第１の状態と第２の状態との間で調節するための形状記憶を有する材料を含有するカテーテル。
【００９４】
４．１８  段落４．２または段落４．１７に記載のカテーテルであって、形状記憶材料はＮＩＴＩＮＯＬを含有するカテーテル。
【００９５】
５．１  ガイドワイヤーとともに使用するように構成されたバルーンカテーテルであって、長手方向に延在する細長いチューブ状のシャフトであって、近位端部および遠位端部を有するシャフトと、シャフトの遠位端部に沿って支持される膨張可能なバルーンであって、膨張されたときに、間隔を置いて配置された第１および第２の端部、および、当該端部同士の間の作用表面を有するバルーンと、バルーンの内部区画内に配置されるインサートであって、少なくとも、シャフトから分離したＸ線不透過性の部分を有するインサートと、を備えるバルーンカテーテル。
【００９６】
５．２  段落５．１に記載のカテーテルであって、インサートは、シャフトに対して移動するように構成されているカテーテル。
【００９７】
５．３  段落５．１または段落５．２に記載のカテーテルであって、インサートは、バルーンの第１の端部から作用表面の一方の端部へ延在するカテーテル。
【００９８】
５．４  段落５．１ないし段落５．３のいずれか１つに記載のカテーテルであって、インサートは、少なくとも部分的にＸ線不透過性の材料から作製されたチューブを備えるカテーテル。
【００９９】
５．５  段落５．１ないし段落５．４のいずれか１つに記載のカテーテルであって、インサートは、少なくとも１つのフィンガーを備えるカテーテル。
【０１００】
５．６  段落５．５に記載のカテーテルであって、フィンガーは、Ｘ線不透過性の端部部分を備えるカテーテル。
【０１０１】
５．７  段落５．１ないし段落５．６のいずれか１つに記載のカテーテルであって、インサートは、バルーンが膨張されたときに、後退状態から拡張状態まで移動するように構成された複数のフィンガーを備えるカテーテル。
【０１０２】
５．８  段落５．１ないし段落５．７のいずれか１つに記載のカテーテルであって、インサートを少なくとも部分的に覆う後退可能なシースをさらに備えるカテーテル。
【０１０３】
５．９  段落５．１ないし段落５．８のいずれか１つに記載のカテーテルであって、インサートはワイヤーを備えるカテーテル。
【０１０４】
５．１０  段落５．９に記載のカテーテルであって、ワイヤーは、作用表面に対応するＸ線不透過性の部分を備えるカテーテル。
【０１０５】
５．１１  段落５．１０に記載のカテーテルであって、ワイヤーは、バルーンの第１の端部から第２の端部まで延在し、Ｘ線不透過性の部分は、ワイヤーの中間部分を備えるカテーテル。
【０１０６】
５．１２  段落５．１０または段落５．１１に記載のカテーテルであって、ワイヤーは、バルーンの第１の端部から第２の端部まで延在し、Ｘ線不透過性の部分は、ワイヤーの端部部分を備えるカテーテル。
【０１０７】
５．１３  段落５．１ないし段落５．１２のいずれか１つに記載のカテーテルであって、インサートの少なくとも１つの端部は、バルーンがチューブ状のシャフトに接続する場所で接続されるカテーテル。
【０１０８】
５．１４  段落５．１ないし段落５．１３のいずれか１つに記載のカテーテルであって、インサートは環状のバンドを備えるカテーテル。
【０１０９】
５．１５  段落５．１ないし段落５．１４のいずれか１つに記載のカテーテルであって、インサートは複数の穿孔を備えるカテーテル。
【０１１０】
５．１６  段落５．１ないし段落５．１５のいずれか１つに記載のカテーテルであって、インサートは形状記憶を有する材料を含有するカテーテル。
【０１１１】
５．１７  段落５．１ないし段落５．１６のいずれか１つに記載のカテーテルであって、バルーン上に薬品をさらに備えるカテーテル。
【０１１２】
６．１  カテーテルのための医療用バルーンへブロー成形されるためのパリソンであって、機能的な修正部を有する第１のチューブ状の層と、ブロー成形されたバルーンを形成するために第１のチューブ状の層と結合するように構成された第２のチューブ状の層と、を備えるパリソン。
【０１１３】
６．２  段落６．１に記載のパリソンであって、第１の層は第２の層の外部にあるパリソン。
【０１１４】
６．３  段落６．１に記載のパリソンであって、第１の層は第２の層の内部にあるパリソン。
【０１１５】
６．４  段落６．１ないし段落６．３のいずれか１つに記載のパリソンであって、機能的な修正部はＸ線不透過性のストリップを備えるパリソン。
【０１１６】
６．５  段落６．４に記載のパリソンであって、ストリップは円周方向のバンドを備えるパリソン。
【０１１７】
６．６  段落６．４または段落６．５に記載のパリソンであって、ストリップは、第１の層の第１の端部と第２の端部との間に延在するパリソン。
【０１１８】
６．７  段落６．１ないし段落６．６のいずれか１つに記載のパリソンであって、第１のチューブ状の層は第２のチューブ状の層から間隔を置いて配置されているパリソン。
【０１１９】
６．８  段落６．１ないし段落６．７のいずれか１つに記載のパリソンであって、機能的な修正部は、追加されたＸ線不透過剤、表面パターン、エッチング、１つ以上の穿孔、および、これらの組合せからなる群から選択されるパリソン。
【０１２０】
６．９  段落６．１ないし段落６．８のいずれか１つに記載のパリソンによって形成される医療用バルーンであって、壁部を有するチューブ状の膨張可能な本体部を備え、本体部は、第１および第２の略円錐形状の端部と、略円錐形状の端部同士の間にあり、作用表面を提供する略円筒形状のバレル部位と、を備える医療用バルーン。
【０１２１】
６．１０  段落６．９に記載のバルーンであって、第１の層はバルーンの第１の端部から第２の端部まで延在するバルーン。
【０１２２】
６．１１  段落６．９に記載のバルーンであって、第１の層は作用表面のみに沿って延在するバルーン。
【０１２３】
６．１２  段落６．９ないし段落６．１１のいずれか１つに記載のバルーンであって、第１の層は、壁部の一部分の周囲全体に沿って延在するバルーン。
【０１２４】
６．１３  段落６．９ないし段落６．１２のいずれか１つに記載のバルーンであって、第１の層は壁部の全周に沿って延在するバルーン。
【０１２５】
６．１４  段落６．９ないし段落６．１３のいずれか１つに記載のバルーンであって、壁部は、間隔を置いて配置された第１および第２のショルダー部を備え、第１の層は、ショルダー部同士の間に位置決めされるバルーン。
【０１２６】
６．１５  段落６．９ないし段落６．１４のいずれか１つに記載のバルーンであって、第１および第２の層は、両方とも、バルーンの第１の端部から第２の端部まで延在するバルーン。
【０１２７】
６．１６  段落６．９ないし段落６．１５のいずれか１つに記載のバルーンであって、バレル部位にわたって位置決めされ、実質的に作用表面に沿って延在する少なくとも部分的にＸ線不透過性を有するチューブをさらに備えるバルーン。
【０１２８】
６．１７  段落６．１６に記載のバルーンであって、Ｘ線不透過性のチューブの近位端部および遠位端部に隣接する第１および第２のショルダー部をさらに備えるバルーン。
【０１２９】
６．１８  段落６．１６または段落６．１７に記載のバルーンであって、チューブ全体がＸ線不透過性であるバルーン。
【０１３０】
７．１  バルーンカテーテルであって、近位端部および遠位端部を有する細長いチューブ状のシャフトと、シャフトの遠位端部に沿って位置決めされるバルーンと、を備え、バルーンの壁部の一部分は、共押出されたＸ線不透過性の材料を部分的に含有するバルーンカテーテル。
【０１３１】
７．２  段落７．１に記載のカテーテルであって、Ｘ線不透過性の部分は、バルーンの作用表面に沿って延在する少なくとも１つのストリップを備えるカテーテル。
【０１３２】
７．３  段落７．１または段落７．２に記載のカテーテルであって、Ｘ線不透過性の部分は、バルーンの全長表面に沿って延在する少なくとも１つのストリップを備えるカテーテル。
【０１３３】
７．４  段落７．１ないし段落７．３のいずれか１つに記載のカテーテルであって、Ｘ線不透過性の部分は、バルーンの第１の円錐部位に沿って延在する少なくとも１つのストリップを備えるカテーテル。
【０１３４】
７．５  段落７．４に記載のカテーテルであって、Ｘ線不透過性の部分は、バルーンの第２の円錐部位に沿って延在する少なくとも１つのストリップを備えるカテーテル。
【０１３５】
７．６  段落７．１ないし段落７．５のいずれか１つに記載のカテーテルであって、バルーンは複数のＸ線不透過性の部分を備えるカテーテル。
【０１３６】
７．７  段落７．６に記載のカテーテルであって、複数のＸ線不透過性の部分のそれぞれは長手方向のストリップを備えるカテーテル。
【０１３７】
７．８  段落７．７に記載のカテーテルであって、ストリップは、少なくとも、バルーンの作用表面に沿って延在するカテーテル。
【０１３８】
７．９  段落７．６ないし段落７．８のいずれか１つに記載のカテーテルであって、複数のＸ線不透過性の部分は円周方向に間隔を離して配置されているカテーテル。
【０１３９】
７．１０  段落７．１ないし段落７．９のいずれか１つに記載のカテーテルであって、バルーンは、バレル部位と、バレル部位のそれぞれの端部にある円錐形状の部位と、を備え、Ｘ線不透過性の部分は記バレル部位に設けられるカテーテル。
【０１４０】
７．１１  段落７．１ないし段落７．１０のいずれか１つに記載のカテーテルであって、バルーンは、バレル部位と、バレル部位のそれぞれの端部にある円錐形状の部位と、を備え、Ｘ線不透過性の部分は、前記円錐部位のうちの一方または両方に設けられるカテーテル。
【０１４１】
７．１２  段落７．１ないし段落７．１１のいずれか１つに記載のカテーテルであって、Ｘ線不透過性の部分はバルーン壁部の層を備えるカテーテル。
【０１４２】
７．１３  段落７．１２に記載のカテーテルであって、層は内側層を備えるカテーテル。
【０１４３】
７．１４  段落７．１２または段落７．１３に記載のカテーテルであって、層は外側層を備えるカテーテル。
【０１４４】
７．１５  段落７．１４に記載のカテーテルであって、外側層はエッチングされているカテーテル。
【０１４５】
７．１６  段落７．１２ないし段落７．１５のいずれか１つに記載のカテーテルであって、バルーンは、バレル部位と、バレル部位のそれぞれの端部にある円錐形状の部位と、を備え、層はバレル部位全体に沿って延在するカテーテル。
【０１４６】
７．１７  段落７．１２ないし段落７．１６のいずれか１つに記載のカテーテルであって、バルーンは、バレル部位と、バレル部位のそれぞれの端部にある円錐形状の部位と、を備え、層は、円錐形状の部位の一方または両方の全体に沿って延在するカテーテル。
【０１４７】
７．１８  段落７．１ないし段落７．１７のいずれか１つに記載のカテーテルであって、壁部の全部分は共押出されたＸ線不透過性の材料を含有するカテーテル。
【０１４８】
７．１９  段落７．１ないし段落７．１８のいずれか１つに記載のカテーテルであって、バルーン上に薬品をさらに備えるカテーテル。
【０１４９】
７．２０  段落７．１ないし段落７．１９のいずれか１つに記載のカテーテルであって、Ｘ線不透過性の材料はｅＰＴＦＥを含有するカテーテル。
【０１５０】
８．１  バルーンカテーテルであって、長手方向に延在するシャフトであって、近位端部および遠位端部を有し、少なくとも１つのＸ線不透過性の識別子を支持するシャフトと、シャフトの遠位端部に沿って支持される膨張可能なバルーンであって、膨張されるときに作用表面を有するバルーンと、作用表面の少なくとも１つの端部を少なくとも１つのＸ線不透過性の識別子に整合させるためのアクチュエーターと、を備えるバルーンカテーテル。
【０１５１】
８．２  段落８．１に記載のカテーテルであって、アクチュエーターは、バルーンが収縮された状態に対応する第１の位置と、バルーンが膨張された状態に対応する第２の位置と、を有するカテーテル。
【０１５２】
８．３  段落８．１または段落８．２に記載のカテーテルであって、アクチュエーターはスプリングを備えるカテーテル。
【０１５３】
８．４  段落８．１ないし段落８．３のいずれか１つに記載のカテーテルであって、スプリングはリーフスプリングを備えるカテーテル。
【０１５４】
８．５  段落８．１ないし段落８．４のいずれか１つに記載のカテーテルであって、アクチュエーターは、カテーテルの周りに円周方向に間隔を置いて配置された複数のスプリングを備えるカテーテル。
【０１５５】
８．６  段落８．１ないし段落８．５のいずれか１つに記載のカテーテルであって、アクチュエーターの第１の部分はバルーンに固定され、アクチュエーターの第２の部分は前記シャフトに対して移動するように構成されているカテーテル。
【０１５６】
８．７  段落８．６に記載のカテーテルであって、アクチュエーターの第１の部分は、バルーンの壁部上の２つの層の間に捕捉されるカテーテル。
【０１５７】
８．８  段落８．６または段落８．７に記載のカテーテルであって、シャフトは、アクチュエーターの第２の部分を少なくとも部分的に受け入れるためのチャネルを備えるカテーテル。
【０１５８】
８．９  段落８．１ないし段落８．８のいずれか１つに記載のカテーテルであって、アクチュエーターの移動を停止させるためのストッパーをさらに備えるカテーテル。
【０１５９】
８．１０  段落８．１ないし段落８．９のいずれか１つに記載のカテーテルであって、Ｘ線不透過性の識別子は、シャフトに取り付けられたマーカーを備えるカテーテル。
【０１６０】
８．１１  段落８．１ないし段落８．１０のいずれか１つに記載のカテーテルであって、Ｘ線不透過性の識別子は、バルーンの内部区画内に位置決めされるインサートを備えるカテーテル。
【０１６１】
８．１２  段落８．１ないし段落８．１１のいずれか１つに記載のカテーテルであって、アクチュエーターは、作用表面の遠位端部をＸ線不透過性の識別子に整合させるための第１のアクチュエーターであり、作用表面の近位端部をＸ線不透過性の識別子に整合させるための第２のアクチュエーターをさらに備えるカテーテル。
【０１６２】
８．１３  段落８．１２に記載のカテーテルであって、第１および第２のアクチュエーターのそれぞれは、複数のスプリングを備えるカテーテル。
【０１６３】
８．１４  段落８．１ないし段落８．１３のいずれか１つに記載のカテーテルであって、Ｘ線不透過性の識別子は、第１のマーキングおよび第２のマーキングを備え、アクチュエーターは、作用表面の遠位端部を第１のマーキングに整合させるための第１のアクチュエーターであり、作用表面の近位端部を第２のマーキングに整合させるための第２のアクチュエーターをさらに備えるカテーテル。
【０１６４】
８．１５  段落８．１ないし段落８．１４のいずれか１つに記載のバルーンカテーテルであって、長手方向に延在するシャフトであって、近位端部および遠位端部を有し、第１および第２のＸ線不透過性の識別子を支持するシャフトと、作用表面の第１の端部を第１のＸ線不透過性のマーキングに整合させるための第１のアクチュエーターと、作用表面の第２の端部を第２のＸ線不透過性の識別子に整合させるための第２のアクチュエーターと、を備えるバルーンカテーテル。
【０１６５】
８．１６  段落８．１ないし段落８．１５のいずれか１つに記載のバルーンカテーテルであって、バルーンを保持するためのシャフトであって、当該シャフトの壁部の外側部分に形成された少なくとも１つのチャネルを有するシャフトと、バルーンに接続される第１の端部、および、チャネル内に少なくとも部分的に位置決めされる第２の端部を有するアクチュエーターと、を備えるバルーンカテーテル。
【０１６６】
８．１７  段落８．１ないし段落８．１６のいずれか１つに記載のバルーンカテーテルであって、バルーンを保持するためのシャフトであって、当該シャフトの壁部の外側部分に形成された複数のチャネルを有するシャフトを備えるバルーンカテーテル。
【０１６７】
８．１８  段落８．１７に記載のカテーテルであって、バルーンに接続される第１の端部、および、チャネルのうちの少なくとも１つに位置決めされる第２の端部を有するアクチュエーターをさらに備えるカテーテル。
【０１６８】
８．１９  段落８．１ないし段落８．８のいずれか１つに記載のカテーテルであって、バルーンの壁部に接続されるスプリングを備えるカテーテル。
【０１６９】
８．２０  段落８．１９に記載のカテーテルであって、スプリングは少なくとも部分的にＸ線不透過性であるカテーテル。
【０１７０】
８．２１  段落８．１９または段落８．２０に記載のカテーテルであって、スプリングはバルーンの壁部の円錐形状の部位に接続されるカテーテル。
【０１７１】
８．２２  段落８．１ないし段落８．２１のいずれか１つに記載のバルーンカテーテルであって、バルーンは薬品を備えるバルーンカテーテル。
【０１７２】
９．１  ガイドワイヤーとともに使用するためのバルーンカテーテルであって、長手方向に延在する細長いチューブ状のシャフトであって、近位端部および遠位端部を有するシャフトと、シャフトの遠位端部に接続される膨張可能なバルーンであって、作用表面を有するバルーンと、作用表面を識別するためのＸ線不透過性の識別子と、シャフトの近位端部に隣接する受入部であって、シャフトが少なくとも長手方向に受入部に対して移動することを可能にするように構成されている受入部と、を備えるバルーンカテーテル。
【０１７３】
９．２  段落９．１に記載のカテーテルであって、シャフトはストッパーを保持し、受入部はストッパーを受け入れるための凹部をさらに備え、凹部は、対応するストッパーの寸法よりも大きい長手方向の寸法を有しているカテーテル。
【０１７４】
９．３  段落９．２に記載のカテーテルであって、バルーンを膨張させるために膨張流体を供給するためのチューブをさらに備え、チューブは、受入部に接続されるとともに、シャフトと略同軸であり、ストッパーは、凹部とともにシールを形成し、膨張流体がシャフトの周りを通ることを防止するカテーテル。
【０１７５】
９．４  段落９．３に記載のカテーテルであって、シールはシャフトと同軸に配置されるＯリングを備えるカテーテル。
【０１７６】
９．５  段落９．１に記載のカテーテルであって、Ｘ線不透過性の識別子はシャフトから分離されるカテーテル。
【０１７７】
９．６  段落９．５に記載のカテーテルであって、Ｘ線不透過性の識別子は、バルーンの内部区画内に位置決めされるインサートを備えるカテーテル。
【０１７８】
９．７  段落９．６に記載のカテーテルであって、インサートは、シャフトと同軸に配置されるチューブ状のスリーブを備えるカテーテル。
【０１７９】
９．８  段落９．６に記載のカテーテルであって、インサートは、バルーンの近位端部にある第１のインサートと、バルーンの遠位端部にある第２のインサートと、を備えるカテーテル。
【０１８０】
９．９  段落９．１に記載のカテーテルであって、シャフトを位置決めするためのガイドワイヤーをさらに備えるカテーテル。
【０１８１】
９．１０  バルーンカテーテル用のハブであって、バルーンカテーテルは、長手方向に延在する細長いチューブ状のシャフトであって、近位端部および遠位端部を有するシャフトと、膨張流体によって膨張されるためにシャフトの遠位端部に接続される膨張可能なバルーンと、を備え、ハブは、シャフトの近位部分を受け入れるための受入部を有する本体部であって、シャフトが少なくとも長手方向に受入部に対して移動することを可能にするように構成されている本体部と、本体部に対するシャフトの長手方向の移動を拘束するためのストッパーと、を備えるハブ。
【０１８２】
９．１１  段落９．１０に記載のハブであって、本体部は、受入部と連通して配置されるガイドワイヤーポートを備え、バルーンを膨張させるための膨張流体を導入するための膨張ポートをさらに備えるハブ。
【０１８３】
９．１２  段落９．１０に記載のハブであって、受入部は、ストッパーを受け入れるための凹部をさらに備え、凹部は、対応するストッパーの寸法よりも大きい長手方向の寸法を有しているハブ。
【０１８４】
９．１３  段落９．１２に記載のハブであって、ストッパーは、凹部とともにシールを形成し、膨張流体が通ることを防止するハブ。
【０１８５】
９．１４  段落９．１０に記載のハブであって、ストッパーはＯリングを備えるハブ。
【０１８６】
９．１５  カテーテルであって、バルーンに接続される遠位端部と、スライド移動のために装着される近位端部と、を有するガイドワイヤーシャフトを備えるカテーテル。
【０１８７】
９．１６  段落９．１ないし段落９．１５のいずれか１つに記載のカテーテルであって、バルーン上に薬品をさらに備えるカテーテル。
【０１８８】
９．１７  カテーテルであって、ガイドワイヤーシャフトの近位端部を受け入れるためのハブを備え、シャフトは、拘束された態様でハブに対してスライド可能に移動するように構成されているカテーテル。
【０１８９】
１０．１  バルーンカテーテルであって、長手方向に間隔を離して配置された近位端部および遠位端部を有する細長いチューブ状のシャフトであって、遠位部分に沿って少なくとも１つのＸ線不透過性の識別子を有するシャフトを備え、遠位部分は、長手方向の伸長に抵抗性を有する材料から形成されており、バルーンカテーテルは、さらに、シャフトの遠位部分にわたり延在する膨張可能な非追従性のバルーンを備えるバルーンカテーテル。
【０１９０】
１０．２  段落１０．１に記載のカテーテルであって、バルーンは、略円錐形状の部位同士の間に位置決めされる略円筒形状のバレル部位を備え、バレル部位は、Ｘ線不透過性の識別子に整合する少なくとも１つの縁部を有する作用表面を備えるカテーテル。
【０１９１】
１０．３  段落１０．２に記載のカテーテルであって、Ｘ線不透過性の識別子は、作用表面の少なくとも１つの縁部に位置決めされる第１のマーカーを備え、作用表面の長手方向の反対側の縁部に位置決めされる第２のマーカーをさらに備えるカテーテル。
【０１９２】
１０．４  段落１０．２に記載のカテーテルであって、それぞれのマーカーは、シャフトの遠位部分にスエージ加工されたＸ線不透過性のバンドを備えるカテーテル。
【０１９３】
１０．５  段落１０．１に記載のカテーテルであって、シャフトの遠位部分は、バルーンの近位端部からバルーンの遠位端部までガイドワイヤーをガイドするように構成されたチューブを備えるカテーテル。
【０１９４】
１０．６  段落１０．１に記載のカテーテルであって、少なくともシャフトの遠位部分は鋼鉄を含有するカテーテル。
【０１９５】
１０．７  段落１０．１に記載のカテーテルであって、前記シャフトは鉄を含有するカテーテル。
【０１９６】
１０．８  段落１０．６または段落１０．７に記載のカテーテルであって、鋼鉄シャフトはステンレス鋼を含有するカテーテル。
【０１９７】
１０．９  段落１０．７または段落１０．８に記載のカテーテルであって、鋼鉄シャフトは、バルーンによって覆われた遠位部分以外の部分に沿ってスパイラルカットを備えるカテーテル。
【０１９８】
１０．１０  段落１０．７または段落１０．８に記載のカテーテルであって、鋼鉄シャフトはポリマー層を備えるカテーテル。
【０１９９】
１０．１１  段落１０．１０に記載のカテーテルであって、ポリマー層はシャフトの外側層を備えるカテーテル。
【０２００】
１０．１２  段落１０．１に記載のカテーテルであって、シャフトの遠位部分は、編組またはメッシュを有するポリマーシャフトを備えるカテーテル。
【０２０１】
１０．１３  段落１０．１に記載のカテーテルであって、バルーンは、略円錐形状の部位同士の間に位置決めされる略円筒形状のバレル部位を備え、シャフトの遠位部分は、第１の円錐形状の部位の第１の端部から第２の円錐形状の部位の第２の端部まで延在するカテーテル。
【０２０２】
１０．１４  段落１０．１に記載のカテーテルであって、非追従性のバルーンは、１つ以上の非弾性繊維を含有するカテーテル。
【０２０３】
１０．１５  段落１０．１に記載のカテーテルであって、非追従性のバルーンは、ポリエチレンテレフタレートを含有するカテーテル。
【０２０４】
１０．１６  段落１０．１ないし段落１０．１５のいずれか１つに記載のカテーテルであって、バルーン上に薬品をさらに備えるカテーテル。
【０２０５】
１１．１  バルーンカテーテルであって、長手方向に延在するシャフトであって、圧縮状態から拡張状態へ長手方向に拡張するように構成され、少なくとも１つのＸ線不透過性の識別子を支持するシャフトと、シャフトに沿って位置決めされる膨張可能なバルーンであって、膨張されるときに、少なくともシャフトの拡張状態においてＸ線不透過性の識別子と整合させるための作用表面を有するバルーンと、を備えるバルーンカテーテル。
【０２０６】
１１．２  段落１１．１に記載のカテーテルであって、拡張可能なシャフトは、拡張可能なエレメントに縦に並んで接続される第１の部分を備えるカテーテル。
【０２０７】
１１．３  段落１１．１または段落１１．２に記載のカテーテルであって、拡張可能なエレメントはスプリングを備えるカテーテル。
【０２０８】
１１．４  段落１１．３に記載のカテーテルであって、スプリングはコイルスプリングを備えるカテーテル。
【０２０９】
１１．５  段落１１．３または段落１１．４に記載のカテーテルであって、スプリングは引っ張りコイルスプリングを備えるカテーテル。
【０２１０】
１１．６  段落１１．２に記載のカテーテルであって、拡張可能なエレメントは蛇腹を備えるカテーテル。
【０２１１】
１１．７  段落１１．２に記載のカテーテルであって、拡張可能なエレメントは繊維マトリクスを備えるカテーテル。
【０２１２】
１１．８  段落１１．７に記載のカテーテルであって、繊維マトリクスに関連付けられたスプリングをさらに備えるカテーテル。
【０２１３】
１１．９  段落１１．２ないし段落１１．８のいずれか１つに記載のカテーテルであって、拡張可能なエレメントは、バルーンの内部区画の内側にあるカテーテル。
【０２１４】
１１．１０  段落１１．２ないし段落１１．８のいずれか１つに記載のカテーテルであって、拡張可能なエレメントは、バルーンの内部区画の外側にあるカテーテル。
【０２１５】
１１．１１  段落１１．２ないし段落１１．１０のいずれか１つに記載のカテーテルであって、拡張可能なエレメントは、バルーンの一方の端部に接続されるカテーテル。
【０２１６】
１１．１２  段落１１．２ないし段落１１．１０のいずれか１つに記載のカテーテルであって、拡張可能なエレメントは、シャフトの第１の部分をシャフトの第２の部分に接続するカテーテル。
【０２１７】
１１．１３  段落１１．１ないし段落１１．１２のいずれか１つに記載のカテーテルであって、シャフトは、膨張流体をバルーンに移送するための膨張ルーメンを備えるカテーテル。
【０２１８】
１１．１４  段落１１．１ないし段落１１．１３までのいずれか１つに記載のカテーテルであって、少なくとも部分的に拡張状態にある拡張可能なシャフトは、膨張流体をバルーンに移送するためのポートを備え、ポートは、シャフトが非拡張状態にあるときに閉じられるカテーテル。
【０２１９】
１１．１５  段落１１．１ないし段落１１．１４までのいずれか１つに記載のカテーテルであって、拡張可能なシャフトは、シャフトの第１の部分をシャフトの第２の部分に接続する第１の拡張可能なエレメントを備え、シャフトの第２の部分をシャフトの第３の部分に接続する第２の拡張可能なエレメントをさらに備えるカテーテル。
【０２２０】
１１．１６  段落１１．１５に記載のカテーテルであって、第１および第２の拡張可能なエレメントは、第１および第２のコイルスプリングを備えるカテーテル。
【０２２１】
１１．１７  段落１１．１６に記載のカテーテルであって、第１および第２のコイルスプリングは、異なるばね定数を有しているカテーテル。
【０２２２】
１１．１８  段落１１．１ないし段落１１．１７までのいずれか１つに記載のカテーテルであって、Ｘ線不透過性の識別子は、間隔を置いて配置された一対のＸ線不透過性のマーカーを備え、一方が、作用表面の第１の端部と整合して位置決めされ、他方が、作用表面の第２の端部に位置決めされるカテーテル。
【０２２３】
１１．１９  段落１１．１５ないし段落１１．１８のいずれか１つに記載のカテーテルであって、第１および第２の拡張可能なエレメントはＸ線不透過性の材料を含有するカテーテル。
【０２２４】
１１．２０  段落１１．１ないし段落１１．１９のいずれか１つに記載のカテーテルであって、Ｘ線不透過性の識別子はスプリングを備えるカテーテル。
【０２２５】
１１．２１  段落１１．２に記載のカテーテルであって、拡張可能なエレメントは、可変のばね定数を有するスプリングを備えるカテーテル。
【０２２６】
１１．２２  段落１１．１な１１．２１のいずれか１つに記載のカテーテルであって、シャフトはガイドワイヤールーメンを備えるカテーテル。
【０２２７】
１１．２３  段落１１．１ないし段落１１．２２のいずれか１つに記載のカテーテルであって、バルーンの外部のガイドワイヤーを受け入れるために、先端部に隣接する通路をさらに備えるカテーテル。
【０２２８】
１１．２４  段落１１．２に記載のカテーテルであって、第１の部分は、シャフトの遠位端部に隣接しているカテーテル。
【０２２９】
１１．２５  バルーンカテーテルであって、シャフトと、バルーンと、長手方向に拡張するように構成され、シャフトをバルーンに接続する拡張可能なエレメントと、を備えるバルーンカテーテル。
【０２３０】
１１．２６  段落１１．２５に記載のカテーテルであって、拡張可能なエレメントは、スプリング、蛇腹、繊維マトリクス、または、これらの組合せからなる群から選択されるカテーテル。
【０２３１】
１１．２７  段落１１．２５または段落１１．２６に記載のカテーテルであって、拡張可能なエレメントは、カプセル化されたスプリングを備えるカテーテル。
【０２３２】
１１．２８  バルーンカテーテルであって、バルーンと、流体をバルーンに供給するために、長手方向に拡張するように構成された拡張可能なエレメントを有する膨張ルーメンと、を備えるバルーンカテーテル。
【０２３３】
１１．２９  段落１１．２５ないし段落１１．２８のいずれか１つに記載のカテーテルであって、拡張可能なエレメントはＸ線不透過性の材料を含有するカテーテル。
【０２３４】
１１．３０  段落１１．１ないし段落１１．２９のいずれか１つに記載のカテーテルであって、バルーン上に薬品をさらに備えるカテーテル。
【０２３５】
１２．１  バルーンカテーテルであって、長手方向に延在する細長いチューブ状のシャフトであって、近位端部および遠位端部を有するシャフトと、作用表面を有するバルーン壁部から形成された膨張区画を有するバルーンと、を備え、作用表面の場所を識別するための識別子を受け入れるように構成された作用表面に隣接する少なくとも１つのチャンバーをさらに備えるバルーンカテーテル。
【０２３６】
１２．２  段落１２．１に記載のバルーンカテーテルであって、シャフトは、チャンバーに流体を供給するための第１のルーメンを備えるバルーンカテーテル。
【０２３７】
１２．３  段落１２．２に記載のバルーンカテーテルであって、シャフトは、第１のルーメンとチャンバーとの間にポートを備えるバルーンカテーテル。
【０２３８】
１２．４  段落１２．２に記載のバルーンカテーテルであって、シャフトは、バルーンの内部区画に流体を供給するための第２のルーメンを備えるバルーンカテーテル。
【０２３９】
１２．５  段落１２．４に記載のバルーンカテーテルであって、シャフトは、第２のルーメンと内部区画との間にポートを備えるバルーンカテーテル。
【０２４０】
１２．６  段落１２．１ないし段落１２．５のいずれか１つに記載のバルーンカテーテルであって、識別子は造影剤を含有するバルーンカテーテル。
【０２４１】
１２．７  段落１２．１ないし段落１２．６のいずれか１つに記載のバルーンカテーテルであって、造影剤は、Ｘ線不透過剤、ポリビニルアセテート、セルロース、流体、液体、固体、粉末、または、これらの組合せからなる群から選択された材料を含有するバルーンカテーテル。
【０２４２】
１２．８  段落１２．１ないし段落１２．７のいずれか１つに記載のバルーンカテーテルであって、チャンバーは、バルーンの近位端部において第１のチャンバーを備え、バルーンの遠位端部において第２のチャンバーをさらに備えるバルーンカテーテル。
【０２４３】
１２．９  段落１２．８に記載のバルーンカテーテルであって、第２のチャンバーは、ポートを介して第１のチャンバーに流体連通するシャフト内のルーメンから識別子を受け入れるように構成されたバルーンカテーテル。
【０２４４】
１２．１０  段落１２．１ないし段落１２．９のいずれか１つに記載のバルーンカテーテルであって、チャンバーは略環状であるバルーンカテーテル。
【０２４５】
１２．１１  段落１２．１ないし段落１２．１０のいずれか１つに記載のバルーンカテーテルであって、チャンバーは、バルーンのバレル部位から円錐形状の部位への移行部と、バルーンの端部との間に位置決めされるバルーンカテーテル。
【０２４６】
１２．１２  段落１２．１ないし段落１２．１１のいずれか１つに記載のバルーンカテーテルであって、チャンバーは、バルーン壁部に取り付けられるフィルムによって提供されるバルーンカテーテル。
【０２４７】
１２．１３  段落１２．１ないし段落１２．１２のいずれか１つに記載のバルーンカテーテルであって、チャンバーはバルーン壁部内に埋め込まれるバルーンカテーテル。
【０２４８】
１２．１４  段落１２．１ないし段落１２．１３のいずれか１つに記載のバルーンカテーテルであって、チャンバーは、バルーン壁部とシャフトの外側表面との間に延在するフィルムによって提供されるバルーンカテーテル。
【０２４９】
本開示は、特定の実施形態を提示し、本発明概念を説明しているが、説明されている実施形態に対する多数の修正例、代替例、および変形例が、添付の特許請求の範囲に規定されているように、本発明の領域および範囲から逸脱することなく可能である。例えば、様々な実施形態において提供されている任意の範囲および数値は、公差に起因して、環境的な要因および材料品質の変化に起因して、ならびに、構造体およびバルーンの形状の修正に起因して、変動を受け、したがって、近似されるように考慮されることができ、「約」という用語は、関連する値が、少なくとも、そのような要因に起因して変化し得るということを意味している。したがって、本発明は、説明されている実施形態に限定されるべきではなく、本発明は、以下の特許請求の範囲およびその均等物の用語によって規定される全範囲を有するということが意図されている。
【符号の説明】
【０２５０】
１０…カテーテル
１１…遠位部分
１２…バルーン
１２ａ…内部区画
１４…カテーテルチューブ
１４ａ…側方開口部
１５ａ…近位端部
１５ｂ…遠位端部
１６…バレル部位（中間部位）
１７…膨張ルーメン
１７ａ…ポート
１８…端部部位（円錐部位）
２３…ガイドワイヤールーメン
２４…シャフト
２５…第１のポート
２６…ガイドワイヤー
２７…コネクター
２８…バルーン壁部
２８ａ…フィルム
２９…第２のポート
３０…識別子
３２…バルーン
３２…チャンバー
３２ａ…ポート
３４…ルーメン
３４ａ…ポート
Ｐ…先端部
Ｗ…作用表面
【図１】
2015509440.tif 000003
【図２】
2015509440.tif 000004
【図３】
2015509440.tif 000005
【図４】
2015509440.tif 000006
【図５】
2015509440.tif 000007
【図６】
2015509440.tif 000008
【図７】
2015509440.tif 000009
【図８】
2015509440.tif 000010
【図９】
2015509440.tif 000011
【図１０】
2015509440.tif 000012
【図１１】
2015509440.tif 000013
【図１２】
2015509440.tif 000014
【図１３】
2015509440.tif 000015
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
バルーンカテーテルであって、
長手方向に延在する細長いチューブ状のシャフトであって、近位端部および遠位端部を有するシャフトと、
作用表面を有するバルーン壁部によって形成された膨張区画を有するバルーンと
を備え、
前記バルーンは、前記作用表面の場所を識別するための識別子を受け入れるように構成された、前記作用表面に隣接する少なくとも１つのチャンバーをさらに備える
バルーンカテーテル。
【請求項２】
請求項１に記載のバルーンカテーテルであって、
前記シャフトは、前記チャンバーに流体を供給するための第１のルーメンを備える
バルーンカテーテル。
【請求項３】
請求項２に記載のバルーンカテーテルであって、
前記シャフトは、前記第１のルーメンと前記チャンバーとの間にポートを備える
バルーンカテーテル。
【請求項４】
請求項２または請求項３に記載のバルーンカテーテルであって、
前記シャフトは、前記バルーンの内部区画に流体を供給するための第２のルーメンを備える
バルーンカテーテル。
【請求項５】
請求項４に記載のバルーンカテーテルであって、
前記シャフトは、前記第２のルーメンと前記内部区画との間にポートを備える
バルーンカテーテル。
【請求項６】
請求項１ないし請求項５のいずれか一項に記載のバルーンカテーテルであって、
前記識別子は造影剤を含有する
バルーンカテーテル。
【請求項７】
請求項６に記載のバルーンカテーテルであって、
前記造影剤は、Ｘ線不透過剤、ポリビニルアセテート、セルロース、流体、液体、固体、粉末、または、これらの組合せからなる群から選択される材料を含有する
バルーンカテーテル。
【請求項８】
請求項１ないし請求項７のいずれか一項に記載のバルーンカテーテルであって、
前記チャンバーは、
前記バルーンの近位端部において第１のチャンバーを備え、
前記バルーンの遠位端部において第２のチャンバーをさらに備える
バルーンカテーテル。
【請求項９】
請求項８に記載のバルーンカテーテルであって、
前記第２のチャンバーは、ポートを介して前記第１のチャンバーに流体連通する前記シャフト内のルーメンから前記識別子を受け入れるように構成された
バルーンカテーテル。
【請求項１０】
請求項１ないし請求項９のいずれか一項に記載のバルーンカテーテルであって、
前記チャンバーは略環状である
バルーンカテーテル。
【請求項１１】
請求項１ないし請求項１０のいずれか一項に記載のバルーンカテーテルであって、
前記チャンバーは、前記バルーンのバレル部位から円錐形状の部位への移行部と、前記バルーンの端部と、の間に位置決めされる
バルーンカテーテル。
【請求項１２】
請求項１ないし請求項１１のいずれか一項に記載のバルーンカテーテルであって、
前記チャンバーは、前記バルーン壁部に取り付けられるフィルムによって提供される
バルーンカテーテル。
【請求項１３】
請求項１ないし請求項１２のいずれか一項に記載のバルーンカテーテルであって、
前記チャンバーは前記バルーン壁部内に埋め込まれる
バルーンカテーテル。
【請求項１４】
請求項１ないし請求項１３のいずれか一項に記載のバルーンカテーテルであって、
前記チャンバーは、前記バルーン壁部と前記シャフトの外側表面との間に延在するフィルムによって提供される
バルーンカテーテル。
【請求項１５】
請求項１ないし請求項１４のいずれか一項に記載のカテーテルを使用する方法であって、
第１の流体を前記チャンバーに供給する工程と、
第２の流体を前記膨張区画に供給する工程と
を備える方法。
【請求項１６】
請求項１５に記載の方法であって、
前記第１の流体を供給する前記工程の前に、前記バルーンを血管内へ挿入する工程をさらに備える
方法。
【請求項１７】
請求項１５に記載の方法であって、
前記第１の流体を供給する前記工程の後であって、前記第２の流体を供給する前記工程の前に、前記バルーンを血管内へ挿入する工程をさらに備える
方法。
【請求項１８】
バルーンカテーテルであって、
長手方向に延在する細長いチューブ状のシャフトであって、近位端部および遠位端部を有するシャフトと、
作用表面を有するバルーン壁部によって形成された膨張区画を有するバルーンと
を備え、
前記バルーンは、前記作用表面に隣接する少なくとも１つのチャンバーをさらに備え、
前記チャンバーは、前記作用表面の場所を識別するための識別子を備える
バルーンカテーテル。
【国際調査報告】
2015509440.tif 000016
2015509440.tif 000017